(57)【要約】    【課題】      専用回路を設けることなく、且つ画像データの変更内容の重要性を識別した上で間欠的に画像データを転送する携帯画像表示装置を提供すること。    【解決手段】  画像データを格納可能なメモリ２を内蔵した表示部３と、この表示部３に画像データを転送する表示制御装置４を備えた携帯画像表示装置において、表示制御装置４は、表示画面上の分割された領域毎に画像フレーム間の類似度を算出する画像フレーム間類似度算出部５を備え、次転送予定の画像フレームデータが現在転送中の画像フレームデータとの類似度が閾値より大きい場合、表示部３に次転送予定の画像フレームデータを転送せずに表示部３においてメモリの画像データを次フレームのタイミングにおいて表示する制御部１を備えたこと。  【選択図】      図１
2006119496.tif 000002
【特許請求の範囲】
【請求項１】
画像データを格納可能なメモリを内蔵した表示部と、この表示部に画像データを転送する表示制御装置を備えた携帯画像表示装置において、
前記表示制御装置は、表示画面上の分割された領域毎に画像フレーム間の類似度を算出する類似度算出手段を備え、次転送予定の画像フレームデータが現在転送中の画像フレームデータとの類似度が閾値より大きい場合、前記表示部に次転送予定の画像フレームデータを転送せずに前記表示部においてメモリの画像データを次フレームのタイミングにおいて表示する制御部を備えたことを特徴とする携帯画像表示装置。
【請求項２】
画像フレーム間の類似度の閾値をユーザが調整可能とする画像フレーム間類似度閾値調整手段を有することを特徴とした請求項１記載の携帯画像表示装置。
【発明の詳細な説明】
【技術分野】
【０００１】
本発明は、携帯電子機器における画像データの表示制御を行う携帯画像表示装置に関するものである。
【背景技術】
【０００２】
一般に、携帯電子機器は、液晶パネルなどの表示装置を備えており、このような表示装置を備えた携帯画像表示装置への画像データの転送は、表示画面にちらつきが生じないように書き換えのための定められたリフレッシュ周期にて、すなわちフレームタイミング毎に、連続して繰り返し行われる。この場合、表示装置への画像データの転送を維持するために、リフレッシュレートを得るべく高い周波数で転送回路を常に動作させておく必要があり、これが消費電力増大につながる。
【０００３】
この問題に対して対策を講じた画像表示装置として、例えば特許文献１に開示されているものがある。この特許文献１に示す画像表示装置は、画像を表示するＬＣＤモジュールに内部記憶手段を内蔵する一方、ＭＰＵ（マイクロ・プロセッサ・ユニット）が制御するシステムバスに接続した外部記憶手段を備えた構成を採り、この内部記憶手段と外部記憶手段との間の画像データの転送を間欠的に行って低消費電力化を図ろうとするものである。この場合、間欠的な画像データ転送に必要な高周波クロック発信源の起動と画像データ転送の実行は、外部記憶手段が接続しているシステムバスの動作を専用回路にて監視し、ＭＰＵが外部記憶手段の内容を変更したことを検出することで行っている。
【特許文献１】特開平６−１３０９１０号公報
【発明の開示】
【発明が解決しようとする課題】
【０００４】
しかしながら、上記従来の特許文献１に示された画像表示装置においては、間欠的に動作する高周波クロック発信源、及びその動作を制御するためのバスの動作を監視する専用回路が必要になることにより、これらの回路動作のために電力消費を伴い、低消費電力の障害になる。また、間欠的に画像データを転送するためにシステムバスの動作を監視する必要があり、この際画像データの変更内容について、その変更の重要性を識別することが必要であるにもかかわらず、それが不可能である。
【０００５】
本発明はかかる点に鑑みてなされたものであり、専用回路を設けることなく、画像データの変更内容の重要性を識別した上で間欠的に画像データを転送する携帯画像表示装置を提供することを目的とする。
【課題を解決するための手段】
【０００６】
本発明に係る携帯画像表示装置は、画像データを格納可能なメモリを内蔵した表示部と、この表示部に画像データを転送する表示制御装置を備えた携帯画像表示装置において、前記表示制御装置は、表示画面上の分割された領域毎に画像フレーム間の類似度を算出する類似度算出手段を備え、次転送予定の画像フレームデータが現在転送中の画像フレームデータとの類似度が閾値より大きい場合、前記表示部に次転送予定の画像フレームデータを転送せずに前記表示部においてメモリの画像データを次フレームのタイミングにおいて表示する制御部を備えた構成を採る。
【０００７】
この構成によれば、表示画面上の分割されたそれぞれの領域毎に画像フレーム間の変化に対する重要度を設定可能となり、重要度の高い変化があった場合、画像フレーム間の類似度が大きくても表示部への画像データの転送を停止しないように設定することができる。
【発明の効果】
【０００８】
本発明によれば、画像データを間欠的に表示部へ転送する為に表示画面上の分割された領域毎に画像フレーム間の類似度を算出することにより、画像フレーム間で類似度が高い場合は転送を停止し、低消費電力化を実現すると共に、画面上で重要度の高い変化があった場合、それを検出し画面表示に反映させることが可能である。すなわち、専用回路を設けることなく、画像データの変更内容の重要性を識別した上で間欠的に画像データを転送することができる。
【発明を実施するための最良の形態】
【０００９】
以下、本発明の実施の形態について、図面を参照して詳細に説明する。
【００１０】
（実施の形態１）
本発明の実施の形態１に係る携帯画像表示装置を図１に示す。この図において、携帯画像表示装置は、画像データを格納可能なメモリ２を内蔵した表示部３と、表示部３に画像データを転送する表示制御装置４を備えている。
【００１１】
更に、表示制御装置４は、画像フレーム間の類似度を得る画像フレーム間類似度算出部５を内蔵し、またこの画像フレーム間類似度算出部５からの類似度情報を得て表示制御装置４に画像データ転送ＯＮ／ＯＦＦ信号を出力する制御部１を有する。この場合、画像フレーム間類似度算出部５は、隣り合うフレームを比較してその類似度を算出するものであるが、図２に示すように表示画面上の分割された領域を、例えば対象領域２１、２２のように特定し、この対象領域毎に画像フレーム間の類似度を算出する。なお、この対象領域の数、大きさ、形状は、設定可能であり、限定されない。
【００１２】
図３にて本実施の形態１の携帯画像表示装置について、その動作を説明する。まず、図２における対象領域について、対象領域２１の変化の重要度が対象領域２２に対して高いとした場合、まず、画像フレーム間類似度算出部５で隣り合う画像フレーム間の類似度を対象領域２１及び２２の各領域毎に求め（ＳＴ３１）、それぞれの領域毎に類似度が閾値より大きいかを判定する。すなわち、まず対象領域２１にて類似度が閾値よりも大きいか否か判定する（ＳＴ３２）。
【００１３】
ＳＴ３２にて対象領域２１での類似度が閾値以下である場合、次フレームの画像データを表示部３へ転送し、表示部３の内蔵メモリ２を更新させて、次フレームの画像データを表示させる（ＳＴ３３）。
【００１４】
一方、ＳＴ３２にて対象領域２１での類似度が閾値よりも大きい場合、対象領域２２にて類似度が閾値よりも大きいか否か判定し（ＳＴ３４）、類似度が閾値以下の場合、次フレームの画像データを表示部３へ転送し、表示部３の内蔵メモリ２を更新させて、次フレームの画像データを表示させる（ＳＴ３３）。
【００１５】
また、それぞれの対象領域２１及び２２の類似度が閾値より大きい場合、次フレームの画像データを表示部３へ転送せず（制御部１からの画像データ転送ＯＦＦ信号出力）、表示部３の内蔵メモリ２にある画像データを表示するものとする（ＳＴ３５）。ここでは、図３のフロー図に示すように、対象領域２１の変化を優先させている。なお、類似度を判定する閾値は、画像の性質や環境により設定可能であり、特に限定されない。
【００１６】
このように実施の形態１によれば、変化の重要度に応じて対象領域を分割し、画像フレーム間の類似度を算出することにより、画像フレーム間で類似度が高い場合は転送を停止し、低消費電力化を実現すると共に、画面上で重要度の高い変化があった場合、それを検出し画面表示に反映させることができる。
【００１７】
（実施の形態２）
本発明の実施の形態２に係る携帯画像表示装置を図４に示す。図４が図１と共通する部分には図１と同一の符号を付す。図４において、携帯画像表示装置は、制御部１と、画像データを格納するメモリ２を内蔵した表示部３と、表示部３に画像データを転送する表示制御装置４と、表示制御装置４内にあって、図２に示すような表示画面上の分割された対象領域２１及び２２毎に画像フレーム間の類似度を算出する画像フレーム間類似度算出部５とを有する。更に、制御部１に接続され類似度の大小を判定する閾値をユーザが設定可能である画像フレーム間類似度閾値調整部６を有する。したがって、この画像フレーム間類似度閾値調整部６により、ユーザが画像の性質や環境に応じた閾値の設定を行うことができることになる。
【００１８】
このような構成を有する携帯画像表示装置にあって、類似度算出及び判定の動作は、前述した図３における説明にて述べたとおりである。ここで、算出された類似度が閾値より大きい否かをＳＴ３２及びＳＴ３４において判定する場合の閾値は、ユーザにより設定された値である。なお、ここにおいても、図２に示す対象領域の数、大きさ、形状は、設定可能であり、限定されない。
【００１９】
以上のように本発明の実施の形態２の携帯画像表示装置によれば、画像フレーム間類似度閾値調整部を設けることにより、例えば動画像における画像変化の滑らかさをユーザが設定することができる。
【産業上の利用可能性】
【００２０】
本発明にかかる携帯画像表示装置は、画像データの表示制御を行う携帯画像表示装置として好適である。
【図面の簡単な説明】
【００２１】
【図１】本発明の実施の形態１における携帯画像表示装置のブロック図
【図２】対象領域の説明図
【図３】本発明の実施の形態１における携帯画像表示装置の動作説明のためのフロー図
【図４】本発明の実施の形態２における携帯画像表示装置のブロック図
【符号の説明】
【００２２】
１  制御部
２  メモリ
３  表示部
４  表示制御装置
５  画像フレーム間類似度算出部
６  画像フレーム間類似度閾値調整部
【図１】
2006119496.tif 000003
【図２】
2006119496.tif 000004
【図３】
2006119496.tif 000005
【図４】
2006119496.tif 000006